(57)【特許請求の範囲】
【請求項１】
下記（Ａ）の仙腸関節ベルトと、下記（Ｂ１）の臀部ベルト又は下記（Ｂ２）の腰背部ベルトとを備えた仙腸関節保護ベルトであって、
臀部ベルト又は腰背部ベルトを仙腸関節ベルトよりも短く形成し、臀部ベルト又は腰背部ベルトの両端部をそれぞれ仙腸関節ベルトにおける両端部よりも中央部寄りの部分に設定した１対の連結エリアにおいて連結することにより、これらの両者のベルトが装着者の骨盤を骨盤全体を臀部側または腰背部側から包み込むようにホールドする臀部側骨盤ホールドループ又は腰背部側骨盤ホールドループを一体的に構成しており、
前記仙腸関節ベルトに対する臀部ベルト又は腰背部ベルトの連結形態が以下（１）、（２）のいずれかであり、
臀部ベルト又は腰背部ベルトの両端部に仙腸関節ベルトを挿通するためのリングを設け、リングに仙腸関節ベルトを挿通した後に両者のベルトを面ファスナーを利用して着脱可能に連結するものであることを特徴とする仙腸関節保護ベルト。
（Ａ）左右の腸骨を取り巻く状態で装着者の腰周りに巻き付けるリング状の仙腸関節ベルト。
（Ｂ１）装着者の臀部を持ち上げる状態で臀部の下側を通って装着者の腰周りに巻き付ける臀部ベルト。
（Ｂ２）装着者の骨盤直上の脊椎前方湾曲部の背中側である腰背部を通って装着者の腰周りに巻き付ける腰背部ベルト。
（１）臀部ベルト又は腰背部ベルトの両端部を、仙腸関節ベルトの１対の連結エリアに対して、面ファスナーの利用により、着脱可能に連結している。
（２）上記（１）の構成において仙腸関節ベルトの連結エリア側の面ファスナーが広い幅に設定され、この設定幅にわたって臀部ベルト又は腰背部ベルトの両端部側の面ファスナーの連結位置を変更できる。
【請求項２】
前記臀部ベルト又は腰背部ベルトは、帯状の本体部と、１対のリングと、前記仙腸関節ベルトの１対の連結エリアに対して連結可能な面ファスナーを備えた１対の帯状の接合部と、を有してなり、
前記１対の接合部は、前記本体部の両端部に、それぞれ前記１対のリングの一方を介して接続され、
前記本体部の両端部および前記１対の接合部はそれぞれ、前記１対のリングの一方の周に沿って回動可能に前記リングに取り付けられていることを特徴とする請求項１に記載の仙腸関節保護ベルト。
【請求項３】
前記仙腸関節ベルトと臀部ベルトとの連結用の１対の連結エリアが仙腸関節ベルトの腹部側と背部側との境界部領域に設定されており、仙腸関節ベルトと腰背部ベルトとの連結用の１対の連結エリアが仙腸関節ベルトの腹部側における中央部領域に設定されていることを特徴とする請求項１又は２に記載の仙腸関節保護ベルト。
【請求項４】
前記仙腸関節ベルトと、臀部ベルト又は腰背部ベルトとの少なくとも一方のベルトとが、以下（４）及び／又は（５）の構成を備えることを特徴とする請求項１〜請求項３のいずれかに記載の仙腸関節保護ベルト。
（４）ベルトの少なくとも一部が伸縮性の素材からなる。
（５）ベルトの少なくとも一部が伸縮性の素材からなり、その伸縮性の素材からなるベルト部分が二重ベルトの構成である。
【請求項５】
前記仙腸関節ベルトには、その締め付け力を強化するための補助ベルトを付設していることを特徴とする請求項１〜請求項４のいずれかに記載の仙腸関節保護ベルト。
【発明の詳細な説明】
【技術分野】
【０００１】
本発明は、骨盤の仙腸関節周りに巻き付ける仙腸関節ベルトと、装着者の臀部を持ち上げる状態で臀部の下側を通って巻き付ける臀部ベルト又は装着者の腰背部に巻き付ける腰背部ベルトとを備え、骨盤の前傾を矯正すると共に骨盤に対するホールド性に優れた仙腸関節保護ベルトに関する。
【背景技術】
【０００２】
骨盤は、仙骨と、その左右両側に連結された１対の腸骨によって構成されている。仙腸関節は仙骨と左右１対の腸骨との間にある左右１対の関節であって、脊椎の根元部分に位置し、周囲の靭帯により強固に連結されているが、僅か数ｍｍの動きが可能である。そして、日常生活における人体の多様な動作に対応して、仙腸関節が僅かに動いてバランスを取りながら、脊椎を根元からサポートしている。【０００３】
このような仙腸関節に対して、例えば中腰での作業等の不自然な動作による負荷がかかると、仙腸関節に緩みや捻じれ等の微小な不適合が発生し、これによって脊椎の根元を直接にサポートする骨盤の位置や傾きにズレを生じる。このような骨盤の位置や傾きのズレの代表的なものとして、骨盤の「前傾」と呼ばれる異常や、骨盤の「後傾」と呼ばれる異常が例示される。【０００４】
上記のように骨盤の位置や傾きにズレを生じる結果、仙腸関節による脊椎のサポートに障害を来たし、腰痛等の仙腸関節傷害を発症する。このような仙腸関節の不適合が解除されないまま持続すると、慢性腰痛の原因ともなる。更に、妊婦さんの出産後に見られる腰痛には、仙腸関節の緩みに基づく仙腸関節障害が関係する場合が多いと考えられている。【０００５】
以上の点から、従来、仙腸関節の保護を目的として、腰用のコルセットやサポーター、あるいは仙腸矯正ベルトや骨盤保護ベルト等と称する仙腸関節保護用ベルトが種々に提案されている。【０００６】
例えば下記の特許文献１では、装着者の腹に宛てがう上下幅の広い固定面と、この固定面から延びる、腰周りに巻き付けるためのベルト部とを備え、ベルト部の先端を面ファスナーによって固定面に貼付け可能とした腰用コルセットを開示している。【０００７】
次に、下記の特許文献２では、腰周りに巻き付けるための、一部に伸縮性の部材を用いて長さ調整を可能としたベルトであって、これを腰の腸骨周りの特定の高さ部に巻き付けた際、上後腸骨棘と下後腸骨棘との間のエリアに当接することとなる部位の内面に押圧部材を設けた仙腸関節包内運動矯正ベルトを開示している。【０００８】
更に、下記の特許文献３では、腰周りに巻き付けるための帯状本体部と、装着時においてこれを一層締め付けるための１対の締め付けベルトと、帯状本体部からスボン吊りのように上方へ延設させ、非締め付け時等にも帯状本体部の装着位置を保持させるための吊りベルトとを備えた腰椎帯を開示している。
【先行技術文献】
【特許文献】
【０００９】
【特許文献１】特開２００９−１６００２７号公報
【特許文献２】特開２００９−１００８６５号公報
【特許文献３】特開平１１−１０４１５９号公報
【発明の概要】
【発明が解決しようとする課題】
【００１０】
上記従来技術に係る各種の仙腸関節保護用ベルトは、装着時において装着者の腰周りに単一のリング状に巻き付けるものである点で共通している。特許文献３の腰椎帯における１対の締め付けベルトも、帯状本体部の締め付けを強化するために帯状本体部と重なるように設けるものであるから、本質的に単一のリング状に巻き付けるものである。これらの仙腸関節保護用ベルトは、仙腸関節を締め付けると言う目的から、腰周りにおける左右１対の腸骨を取り巻く状態で巻き付けられる。【００１１】
しかし、本願発明者の研究によれば、腰周りに単一のリング状に巻き付ける仙腸関節保護用のベルトでは、骨盤に対するホールド性が劣る。ここに骨盤に対する「ホールド性」とは、仙腸関節保護用のベルトによって、単に仙腸関節を締め付けるだけでなく、同時に骨盤全体を包み込むように保持することを言う。ホールド性が劣る場合は、第１に、仙腸関節に対する負荷に基づく骨盤の前傾や後傾を十分に防止することができず、第２に、例えば座ったり、しゃがみ込んだりする姿勢を取る度に、ベルトの巻き付け位置が骨盤に対してズレを起こし易い。更に、腰周りに単一のリング状に巻き付ける仙腸関節保護用のベルトでは、既に発生している骨盤の前傾や後傾を十分に矯正する効果を期待できない。【００１２】
そこで本発明は、仙腸関節に対する締め付け効果と共に骨盤に対するホールド性が優れ、骨盤の前傾や後傾を十分に防止又は矯正でき、かつ、座ったりしゃがみ込んだりする姿勢を取ってもベルトの巻き付け位置がズレを起こし難い仙腸関節保護ベルトを提供することを、解決すべき技術的課題とする。
【課題を解決するための手段】
【００１３】
（第１発明の構成）
上記課題を解決するための第１発明の構成は、下記（Ａ）の仙腸関節ベルトと、下記（Ｂ１）の臀部ベルト又は下記（Ｂ２）の腰背部ベルトとを備え、これらの両者のベルトを装着者の骨盤をホールドする臀部側骨盤ホールドループ又は腰背部側骨盤ホールドループを構成するように使用するものである、仙腸関節保護ベルトである。
（Ａ）左右の腸骨を取り巻く状態で装着者の腰周りに巻き付けるリング状の仙腸関節ベルト。
（Ｂ１）仙腸関節ベルトとは別体に形成されるベルトであって、装着者の臀部を持ち上げる状態で臀部の下側を通って装着者の腰周りに巻き付けるリング状の臀部ベルト。
（Ｂ２）仙腸関節ベルトとは別体に形成されるベルトであって、装着者の骨盤直上の脊椎前方湾曲部の背中側である腰背部を通って装着者の腰周りに巻き付けるリング状の腰背部ベルト。【００１４】
（第２発明の構成）
上記課題を解決するための第２発明の構成は、下記（Ａ）の仙腸関節ベルトと、下記（Ｂ１）の臀部ベルト又は下記（Ｂ２）の腰背部ベルトとを一体的に連結した仙腸関節保護ベルトであって、これらの両者のベルトが装着者の骨盤をホールドする臀部側骨盤ホールドループ又は腰背部側骨盤ホールドループを一体的に構成している、仙腸関節保護ベルトである。
（Ａ）左右の腸骨を取り巻く状態で装着者の腰周りに巻き付けるリング状の仙腸関節ベルト。
（Ｂ１）装着者の臀部を持ち上げる状態で臀部の下側を通って装着者の腰周りに巻き付けるリング状の臀部ベルト。
（Ｂ２）装着者の骨盤直上の脊椎前方湾曲部の背中側である腰背部を通って装着者の腰周りに巻き付けるリング状の腰背部ベルト。【００１５】
（第３発明の構成）
上記課題を解決するための第３発明の構成は、下記（Ａ）の仙腸関節ベルトと、下記（Ｂ１）の臀部ベルト又は下記（Ｂ２）の腰背部ベルトとを備えた仙腸関節保護ベルトであって、
臀部ベルト又は腰背部ベルトを仙腸関節ベルトよりも短く形成し、臀部ベルト又は腰背部ベルトの両端部をそれぞれ仙腸関節ベルトにおける両端部よりも中央部寄りの部分に設定した１対の連結エリアにおいて連結することにより、これらの両者のベルトが装着者の骨盤をホールドする臀部側骨盤ホールドループ又は腰背部側骨盤ホールドループを一体的に構成している、仙腸関節保護ベルトである。
（Ａ）左右の腸骨を取り巻く状態で装着者の腰周りに巻き付けるリング状の仙腸関節ベルト。
（Ｂ１）装着者の臀部を持ち上げる状態で臀部の下側を通って装着者の腰周りに巻き付ける臀部ベルト。
（Ｂ２）装着者の骨盤直上の脊椎前方湾曲部の背中側である腰背部を通って装着者の腰周りに巻き付ける腰背部ベルト。【００１６】
（第４発明の構成）
上記課題を解決するための第４発明の構成は、前記第３発明に係る仙腸関節保護ベルトにおいて、仙腸関節ベルトと臀部ベルトとの連結用の１対の連結エリアが仙腸関節ベルトの腹部側と背部側との境界部領域に設定されており、仙腸関節ベルトと腰背部ベルトとの連結用の１対の連結エリアが仙腸関節ベルトの腹部側における中央部領域に設定されている、仙腸関節保護ベルトである。【００１７】
（第５発明の構成）
上記課題を解決するための第５発明の構成は、前記第３発明又は第４発明に係る仙腸関節保護ベルトにおいて、仙腸関節ベルトに対する臀部ベルト又は腰背部ベルトの連結形態が以下（１）〜（３）のいずれかである、仙腸関節保護ベルトである。【００１８】
（１）臀部ベルト又は腰背部ベルトの両端部を仙腸関節ベルトの１対の連結エリアに対してそれぞれ固定的に連結している。【００１９】
（２）臀部ベルト又は腰背部ベルトの両端部を、仙腸関節ベルトの１対の連結エリアに対して、面ファスナーの利用により、着脱可能に連結している。【００２０】
（３）上記（２）の構成において仙腸関節ベルトの連結エリア側の面ファスナーが広い幅に設定され、この設定幅にわたって臀部ベルト又は腰背部ベルトの両端部側の面ファスナーの連結位置を変更できる。【００２１】
なお、本願発明において「面ファスナー」とは、互いに着脱可能に面接着させたい１対の面状部材にそれぞれ設ける１対のファスナー部材からなり、例えば、面状部材の片方には多数の微細なループ構造を形成したファスナー部材を、面状部材の他方には多数の微細なフック構造を形成したファスナー部材を、それぞれ取り付けるものである。このような面ファスナーとしては「マジックテープ（登録商標）」と俗称されるものが代表的であるが、これに限定されない。本願明細書において、一の部材と他の部材を「面ファスナーにより接着する」とは、これらの部材を上記のような面ファスナーにより着脱可能に面接着することを言う。【００２２】
（第６発明の構成）
上記課題を解決するための第６発明の構成は、前記第５発明に係る仙腸関節保護ベルトにおける（２）及び（３）の場合において、臀部ベルト又は腰背部ベルトの両端部に仙腸関節ベルトを挿通するためのリングを設け、リングに仙腸関節ベルトを挿通した後に両者のベルトを面ファスナーを利用して着脱可能に連結するものである、仙腸関節保護ベルトである。【００２３】
（第７発明の構成）
上記課題を解決するための第７発明の構成は、前記第１発明〜第６発明のいずれかに係る仙腸関節保護ベルトにおいて、仙腸関節ベルトと、臀部ベルト又は腰背部ベルトとの少なくとも一方のベルトとが、以下（４）及び／又は（５）の構成を備える、仙腸関節保護ベルトである。【００２４】
（４）ベルトの少なくとも一部が伸縮性の素材からなる。【００２５】
（５）ベルトの少なくとも一部が伸縮性の素材からなり、その伸縮性の素材からなるベルト部分が二重ベルトの構成である。【００２６】
（第８発明の構成）
上記課題を解決するための第８発明の構成は、前記第１発明〜第７発明のいずれかに係る仙腸関節保護ベルトにおいて、仙腸関節ベルトには、その締め付け力を強化するための補助ベルトを付設している、仙腸関節保護ベルトである。
【発明の効果】
【００２７】
（第１発明〜第３発明の効果）
第１発明〜第３発明の仙腸関節保護ベルトにおいては、左右の腸骨を取り巻く状態で装着者の腰周りに巻き付ける仙腸関節ベルトに加えて、（１）装着者の臀部を持ち上げる状態で臀部の下側を通って装着者の腰周りに巻き付ける臀部ベルト、又は（２）装着者の骨盤直上の脊椎前方湾曲部の背中側である腰背部を通って装着者の腰周りに巻き付ける腰背部ベルトのいずれか一方を備える。これらの仙腸関節保護ベルトの効果を図７（ａ）〜図７（ｄ）に基づいて説明する。【００２８】
図７（ａ）は右向きに直立する人体の骨格を示し、図７（ｂ）〜（ｄ）はその骨格の頭部α、脊椎β、骨盤γ、脚部δのみをシンプルに図案化して示す。図７（ｂ）は骨盤γの直上（すぐ上）の脊椎前方湾曲部β１が過剰に湾曲し、骨盤γが前向きに傾いた「前傾」と呼ばれる異常な状態にある。図７（ｃ）は正常な状態を示す。図７（ｄ）は骨盤γの直上の脊椎前方湾曲部β１の湾曲が過小であり、骨盤γが後向きに傾いた「後傾」と呼ばれる異常な状態にある。【００２９】
仙腸関節ベルトと臀部ベルトを備える仙腸関節保護ベルトは図７（ｂ）に示す骨盤の前傾状態にある患者に対して効果的である。仙腸関節ベルトによって仙腸関節を締め付けるだけでなく、臀部ベルトが骨盤γの下部を矢印Ｘ方向へ押すため、相対的に骨盤γの上部が矢印Ｙ方向へ変位し、結果的に骨盤の前傾状態を図７（ｃ）の正常な状態に矯正する効果を及ぼす。そして、仙腸関節ベルトと臀部ベルトとが臀部側骨盤ホールドループを構成し、骨盤の前傾を防止するような状態で、骨盤全体を臀部側から包み込むように保持すると言う、骨盤に対する優れたホールド性を実現する。【００３０】
仙腸関節ベルトと腰背部ベルトを備える仙腸関節保護ベルトは図７（ｄ）に示す骨盤の後傾状態にある患者に対して効果的である。仙腸関節ベルトによって仙腸関節を締め付けるだけでなく、腰背部ベルトが骨盤γ直上の脊椎前方湾曲部β１の背中側である腰背部を矢印Ｘ方向へ押すので、骨盤γの上部が矢印Ｚ方向へ変位し、結果的に骨盤の後傾状態を図７（ｃ）の正常な状態に矯正する効果を及ぼす。そして、仙腸関節ベルトと腰背部ベルトとが腰背部側骨盤ホールドループを構成し、骨盤の後傾を防止するような状態で、骨盤全体を腰背部側から包み込むように保持すると言う、骨盤に対する優れたホールド性を実現する。【００３１】
従って、通常の仙腸関節保護用ベルトのような仙腸関節保護効果に加えて、骨盤に対する優れたホールド性により、次の第１及び第２の新規な効果が得られる。即ち、第１に、仙腸関節に対する種々の負荷に基づく骨盤の前傾や後傾を十分に防止し、かつ矯正できる。第２に、例えば座ったり、しゃがみ込んだりする姿勢を取っても、ベルトの巻き付け位置が骨盤に対してズレを起こし難い。【００３２】
なお、第１発明の仙腸関節保護ベルトでは、それぞれリング状の仙腸関節ベルトと、臀部ベルト又は腰背部ベルトとが、別体に形成される。これに対して第２発明及び第３発明の仙腸関節保護ベルトでは仙腸関節ベルトと、臀部ベルト又は腰背部ベルトとが連結されているので、第１発明の場合に比較して保管・流通時の取扱いが便利であり、装着も簡単である。【００３３】
特に第３発明の仙腸関節保護ベルトでは、臀部ベルト又は腰背部ベルトを仙腸関節ベルトよりも短く形成し、臀部ベルト又は腰背部ベルトの両端部を仙腸関節ベルトにおける両端部よりも中央部寄りの部分に設定した１対の連結エリアに連結している。そのため、仙腸関節ベルトと、臀部ベルト又は腰背部ベルトとの間で、比較的小さな（骨盤を臀部側又は腰背部側から的確にホールドできる大きさの）骨盤ホールドループである臀部側骨盤ホールドループ又は腰背部側骨盤ホールドループを形成する。【００３４】
従って、前傾や後傾の状態にある骨盤に対するホールド効果が特に顕著であり、更に、例えば座ったりしゃがみ込んだりする姿勢を取っても、ベルトの巻き付け位置が骨盤に対して特にズレを起こし難い。【００３５】
上記第１発明〜第３発明の仙腸関節保護ベルトにおいては、参考的な使用例として、仙腸関節ベルトと同様に、臀部ベルト又は腰背部ベルトも左右の腸骨を取り巻く状態で装着者の腰周りに巻き付けることもできる。【００３６】
（第４発明の効果）
仙腸関節ベルトと臀部ベルトとの連結用の１対の連結エリアを仙腸関節ベルトの腹部側と背部側との境界部領域に設定すると、仙腸関節ベルトと臀部ベルトにより、骨盤を臀部側から一層コンパクトにホールドできる。仙腸関節ベルトと腰背部ベルトとの連結用の１対の連結エリアを仙腸関節ベルトの腹部側における中央部領域に設定すると、腰背部ベルトを腰背部の位置まで無理なく引き上げて巻き付けることができ、しかもその際、腰背部ベルトの腹部側の部分が両足の大腿部の上端にかからないから、歩行の障害にならない。【００３７】
（第５発明の効果）
仙腸関節ベルトに対する臀部ベルト又は腰背部ベルトの連結形態は限定されないが、好ましくは第４発明の（１）〜（３）のいずれかの連結形態を例示することができる。特に（２）の連結形態では着脱可能に連結するので、装着や脱着が便利である。とりわけ、（３）の連結形態では仙腸関節ベルトに対する臀部ベルト又は腰背部ベルトの連結位置を変更できるので、装着者の体格や体形の違いに対応して最適なサイズの骨盤ホールドループを構成するように、容易に調節できる。【００３８】
（第６発明の効果）
前記第５発明に係る仙腸関節保護ベルトにおける（２）及び（３）の場合において、第６発明のように、臀部ベルト又は腰背部ベルトの両端部に仙腸関節ベルトを挿通するためのリングを設け、リングに仙腸関節ベルトを挿通した後に両者のベルトを面ファスナーを利用して着脱可能に連結すれば、両者のベルトの連結角度にはリングに基づく遊びが生じる。そのため、面ファスナーによって両者のベルトを強固に連結しつつ、仙腸関節ベルトに対する臀部ベルト又は腰背部ベルトの連結角度を自由に変更できる。従って、臀部ベルトが臀部の下側を無理なく通るように装着することが容易であり、腰背部ベルトが腰背部を無理なく通るように装着することが容易である。【００３９】
例えば、仙腸関節ベルトの連結部と、臀部ベルト又は腰背部ベルトの両端部とに、ベルトに沿った帯状の面ファスナーを設けた場合、両者の帯状の面ファスナーを平行に重ねて接合させると強力な連結が可能になるが、その場合、通常は、臀部ベルトが臀部の下側を通ることとなるような連結角度を与えることが難しく、又、腰背部ベルトが腰背部を通ることとなるような連結角度を与えることも難しい。しかし第６発明のように、リングを利用して両者のベルトの連結角度に遊びを持たせると、この問題が解決される。【００４０】
更に、上記のリングの使用により、臀部ベルト又は腰背部ベルトを仙腸関節ベルトの内周側に位置させると共に、臀部ベルト側又は腰背部ベルト側の面ファスナーを仙腸関節ベルト側の面ファスナーに対して外周側から接着させることができるので、装着者の意に反して臀部ベルト又は腰背部ベルトが仙腸関節ベルトから外れる恐れがない一方で、意図的に臀部ベルト又は腰背部ベルトを仙腸関節ベルトから外すことは極めて簡単である。【００４１】
なお、上記のリングを介する仙腸関節ベルトと、臀部ベルト又は腰背部ベルトとの連結部構造の変更例として、リングを臀部ベルト又は腰背部ベルトの両端部に設けるのではなく、仙腸関節ベルトにおける臀部ベルト又は腰背部ベルトとの連結部位に１対のリングを設け、これらのリングに臀部ベルト又は腰背部ベルトの両端部をそれぞれ挿通した後に両者のベルトを面ファスナーを利用して着脱可能に連結することもできる。但しこの場合、「仙腸関節ベルトに対する臀部ベルト又は腰背部ベルトの連結角度を自由に変更できる」と言う効果は不十分となる。【００４２】
（第７発明の効果）
仙腸関節ベルトや、臀部ベルト又は腰背部ベルトは、第７発明の（４）に規定するように、ベルトの少なくとも一部を伸縮性の素材によって構成することができる。この場合には、弾力性に富む快適な締め付けが可能となる。又、仙腸関節ベルトや、臀部ベルト又は腰背部ベルトは、第６発明の（５）に規定するように、伸縮性の素材からなるベルト部分を二重ベルトの構成とすることができる。この場合には、弾力性に富み、かつ強力な締め付けが可能となる。【００４３】
（第８発明の効果）
仙腸関節ベルトには、第８発明に規定するように、その締め付け力を強化するための補助ベルトを付設することができる。このような補助ベルトを設けると、とりわけ強力な締め付けが可能な仙腸関節ベルトとなる。【００４４】
第８発明に規定する補助ベルトも、少なくとも一部を伸縮性の素材によって構成することができる。【００４５】
なお、補助ベルトにおいても、第６発明に規定するような、仙腸関節ベルトと、臀部ベルト又は腰背部ベルトとのリングを介する連結部構造と同様のリングを介する連結部構造を採用することができ、かつ、その場合の変更例として、リングを補助ベルトの両端部に設けるのではなく、仙腸関節ベルトにおける補助ベルトとの連結部位に１対のリングを設け、これらのリングに補助ベルトの両端部をそれぞれ挿通した後に両者のベルトを面ファスナーを利用して着脱可能に連結することもできる。
【図面の簡単な説明】
【００４６】
【図１】図１（ａ）は仙腸関節ベルトの正面図（外周面）を示し、図１（ｂ）はその背面図（内周面）を示す。
【図２】臀部ベルト又は腰背部ベルトの内周面を示す。
【図３】図３（ａ）は仙腸関節ベルトの両端部に設けた留め具の拡大図を示し、図３（ｂ）は、仙腸関節ベルトと、臀部ベルト又は腰背部ベルトのリングを用いた連結部の構造を示す。
【図４】第１実施例に係る仙腸関節保護ベルトの全体図を概念的に示す。
【図５】図５（ａ）は第１実施例に係る仙腸関節保護ベルトであって、仙腸関節ベルトと臀部ベルトからなるものの装着状態を背側から示し、図５（ｂ）はその装着状態を背側斜め方向から示す。
【図６】図６（ａ）は第１実施例に係る仙腸関節保護ベルトであって、仙腸関節ベルトと腰背部ベルトからなるものの装着状態を背側から示し、図６（ｂ）はその装着状態を背側斜め方向から示す。
【図７】図７（ａ）は右向きに直立する人体の骨格を示し、図７（ｂ）〜（ｄ）はその骨格の頭部、脊椎、骨盤、脚部のみをシンプルに図案化して示す。
【図８】第２実施例に係る仙腸関節保護ベルトの全体図を概念的に示す。
【図９】第３実施例に係る仙腸関節保護ベルトの全体図を概念的に示す。
【符号の説明】
【００４７】
１                  仙腸関節ベルト
１ａ                仙腸関節ベルト
ａ                  留め棒
ｂ                  バックルリング
２                  フック
３                  フック留め
４                  面状ファスナー部材
５                  臀部ベルト／腰背部ベルト
５ａ                臀部ベルト／腰背部ベルト
５ｂ                臀部ベルト
５ｃ                腰背部ベルト
６                  面状ファスナー部材
７                  リング
８                  補助ベルト
８ａ                補助ベルト
９                  仙腸関節保護ベルト
１０                留め具
１１                リングを介する連結部構造
１２                面ファスナー構造
１３ａ              臀部側骨盤ホールドループ
１３ｂ              腰背部側骨盤ホールドループ
１４                仙腸関節保護ベルト
１５                固定的連結部
１６                仙腸関節保護ベルト
１７                二重ベルト構造
α                  頭部
β                  脊椎
β１                脊椎前方湾曲部
γ                  骨盤
δ                  脚部
【発明を実施するための形態】
【００４８】
次に本発明の実施形態を、その最良の形態を含めて説明する。
【００４９】
〔仙腸関節保護ベルト〕
本発明に係る仙腸関節保護ベルトは、左右の腸骨を取り巻く状態で装着者の腰周りに巻き付ける仙腸関節ベルトを備え、かつ、装着者の臀部を持ち上げる状態で臀部の下側を通って装着者の腰周りに巻き付ける臀部ベルトと、装着者の骨盤直上の脊椎前方湾曲部の背中側である腰背部を通って装着者の腰周りに巻き付ける腰背部ベルトとのいずれか一方を備える。仙腸関節ベルトは、左右１対の腸骨における前方向（腹側）へ出っ張った突起部分のすぐ下側を通るように巻き付けることが、特に好ましい。
【００５０】
仙腸関節ベルトと、臀部ベルト又は腰背部ベルトとは、両者が装着者の骨盤をホールドする骨盤ホールドループを構成するように使用する。「骨盤ホールドループ」とは、下記の臀部側骨盤ホールドループ又は腰背部側骨盤ホールドループを言う。
【００５１】
臀部側骨盤ホールドループ：左右の腸骨を取り巻く状態で装着者の腰周りに巻き付ける仙腸関節ベルトと、装着者の臀部を持ち上げる状態で臀部の下側を通って装着者の腰周りに巻き付ける臀部ベルトとを備える仙腸関節保護ベルトの装着状態において構成され、骨盤全体を臀部側から包み込むように保持するループ状の構造を言う。
【００５２】
腰背部側骨盤ホールドループ：左右の腸骨を取り巻く状態で装着者の腰周りに巻き付ける仙腸関節ベルトと、装着者の骨盤直上の脊椎前方湾曲部の背中側である腰背部を通って装着者の腰周りに巻き付ける腰背部ベルトとを備える仙腸関節保護ベルトの装着状態において構成され、骨盤全体を腰背部側から包み込むように保持するループ状の構造を言う。
【００５３】
〔仙腸関節保護ベルトの第１〜第３実施形態〕
仙腸関節保護ベルトの第１実施形態においては、腰周りに巻き付けることができる長さの２本のリング状のベルトを別体に形成する。そして、その一方のリング状のベルトを「左右の腸骨を取り巻く状態で装着者の腰周りに巻き付ける仙腸関節ベルト」として用いる。又、他方のリング状のベルトを「装着者の臀部を持ち上げる状態で臀部の下側を通って装着者の腰周りに巻き付ける臀部ベルト」として用いるか、あるいは「装着者の骨盤直上の脊椎前方湾曲部の背中側である腰背部を通って装着者の腰周りに巻き付ける腰背部ベルト」として用いる。
【００５４】
以上の使用法により、両者のベルトが臀部側骨盤ホールドループ又は腰背部側骨盤ホールドループを構成するように使用する。これらのベルトはいずれも、限定はされないが、両端部に適宜な機構の着脱式の留め具（例えば、フックとフック留め）を備え、装着時には留め具によってリング状とすることができる構造のものが好ましい。
【００５５】
仙腸関節保護ベルトの第２実施形態においては、上記の第１実施形態に係る２本のリング状のベルト（腰周りに巻き付けることができる長さの２本のベルト）を１ケ所以上（例えば、両ベルトの中央部）で一体的に連結している。この連結は固定的な連結（例えば、縫着する）であっても良いし、着脱可能な連結（例えば、面ファスナー等を利用する）であっても良い。
【００５６】
仙腸関節保護ベルトの特に好ましい第３実施形態においては、臀部ベルト又は腰背部ベルトを仙腸関節ベルトよりも短く形成し、その臀部ベルト又は腰背部ベルトの両端部をそれぞれ仙腸関節ベルトにおける両端部よりも中央部寄りの部分に設定した１対の連結エリアにおいて連結する。第３実施形態においても、仙腸関節ベルトは、装着者の腰周りに巻き付けることができる長さとする。又、仙腸関節ベルトは、限定はされないが、両端部に適宜な機構の着脱式の留め具（例えば、フックとフック留め）を備え、装着時には留め具によってリング状とすることができる構造のものが好ましい。第３実施形態により、仙腸関節ベルトと、臀部ベルト又は腰背部ベルトを用いて、装着者の骨盤を臀部側又は腰背部側から良好にホールドする小さなサイズの臀部側骨盤ホールドループ又は腰背部側骨盤ホールドループを一体的に構成させることができる。
【００５７】
〔第３実施形態における仙腸関節ベルトと臀部ベルト又は腰背部ベルトとの連結〕
上記した第３実施形態において、仙腸関節ベルトと、臀部ベルト又は腰背部ベルトとの連結は、例えば以下のように行うことができる。
【００５８】
（１）臀部ベルト又は腰背部ベルトの両端部を仙腸関節ベルトの１対の連結エリアに対してそれぞれ固定的に連結している。この場合の「固定的な連結」としては、臀部ベルト又は腰背部ベルトの両端部を仙腸関節ベルトの連結エリアに対して縫合したり、ベルト同士を固定するための適宜な小器具を利用すると言う実施形態を好ましく例示できるが、これに限定されない。
【００５９】
（２）臀部ベルト又は腰背部ベルトの両端部を、仙腸関節ベルトの双方の連結エリアに対して、面ファスナーの利用により着脱可能に連結している。なお、着脱可能な連結手段としては、面ファスナー以外の手段も利用できる。
【００６０】
（３）上記（２）の構成において仙腸関節ベルトの連結エリア側の面ファスナーを広い幅に設定し、この設定幅にわたって臀部ベルト又は腰背部ベルトの一端部又は両端部側の面ファスナーの連結位置を変更できる。
【００６１】
〔仙腸関節ベルト〕
（仙腸関節ベルトの実施形態）
仙腸関節ベルトは、限定はされないが、天然繊維や合成樹脂繊維を用いて伸縮性のない帯状に織製した柔軟で強靭なベルトからなり、ベルト幅も限定されないが、例えば１〜４ｃｍ程度である。仙腸関節ベルトの両端部には、それぞれ、適宜な係止機構を備えた留め具、例えばフックとフック留めとを取り付ける。仙腸関節保護ベルトの装着及び脱着の便宜から、フックとフック留めは、装着時において腹側に位置するように設けることが好ましい。
【００６２】
上記の第３実施形態においては、仙腸関節ベルトにおける両端部よりも中央部寄りの部分に、臀部ベルト又は腰背部ベルトの両端部を連結するための１対の連結エリアを設定する。１対の連結エリアにおいて、臀部ベルト又は腰背部ベルトの両端部を、例えば縫着により固定的に連結しても良いが、着脱可能に連結する場合には、例えば面ファスナーを構成する１対のファスナー部材の一方を取り付ける。
【００６３】
前記「第４発明の効果」で述べた理由から、仙腸関節ベルトと臀部ベルトとの連結用の１対の連結エリアが仙腸関節ベルトの腹部側と背部側との境界部領域に設定されており、又は、仙腸関節ベルトと腰背部ベルトとの連結用の１対の連結エリアが仙腸関節ベルトの腹部側における中央部領域に設定されていることが、好ましい。
【００６４】
仙腸関節ベルトの連結エリアにおけるファスナー部材をベルトの長さ方向にわたって広い幅に取り付けると、臀部ベルト又は腰背部ベルトの両端部の連結部位を自由に変更できるので、同じ臀部ベルト又は腰背部ベルトを使用していても、臀部側骨盤ホールドループ又は腰背部側骨盤ホールドループの大きさを任意に調節できる。又、臀部ベルト又は腰背部ベルトの一部に後述のように伸縮性素材を使用している場合、装着時における臀部ベルト又は腰背部ベルトの引っ張り強さ（骨盤に対するホールド性の強さ）を調節できる。
【００６５】
（仙腸関節ベルトにおける伸縮性素材の使用）
仙腸関節ベルトにおける少なくとも一部、例えば装着時に背側に位置する中央部分等の適宜な部分においては、上記した伸縮性のない強靭なベルトに替えて、伸縮性のベルト状素材を用いることが好ましい。伸縮性のベルト状素材としては、例えば、以下に述べる（ａ）〜（ｃ）の構成のものを好ましく用いることができる。
【００６６】
（ａ）伸縮性のない天然繊維又は合成樹脂繊維を伸び縮み可能なように緩く織製すると共に、これにゴム糸を混織して、全体として伸縮性を持たせた素材
（ｂ）ベルト状のゴム材
（ｃ）伸縮性のない天然繊維又は合成樹脂繊維を伸び縮み可能なように緩く織製した筒状の素材中に、ベルト状のゴム製芯材を収容したもの
以上のような伸縮性素材の内、例えば（ａ）、（ｂ）のようにゴム材が露出している実施形態の場合は、装着時における内側の下着や外側のシャツ、ズボン等に対する仙腸関節ベルトの摩擦抵抗が高いので、仙腸関節保護ベルトを装着した状態において、位置ズレが起こり難い。
【００６７】
上記のように仙腸関節ベルトの少なくとも一部に伸縮性の素材を用いる場合、その伸縮性の素材からなるベルト部分を二重ベルトの構成として、仙腸関節ベルトに、弾力性に富む強力な締め付け力を与えることも、好ましい。
【００６８】
〔臀部ベルト又は腰背部ベルト〕
（臀部ベルト又は腰背部ベルトの実施形態）
臀部ベルト又は腰背部ベルトも、限定はされないが、天然繊維や合成樹脂繊維を用いて伸縮性のない帯状に織製した柔軟で強靭なベルトからなり、ベルト幅も限定されないが、例えば、１〜４ｃｍ程度である。前記した第４発明の場合においては、臀部ベルトは相対的に短く形成され、腰背部ベルトは相対的に長く形成される。
【００６９】
上記の第３実施形態において、臀部ベルト又は腰背部ベルトの両端部は、それぞれ、例えば縫着により固定的に、あるいは面ファスナー等を利用して着脱可能に、仙腸関節ベルトの１対の連結エリアに連結される。
【００７０】
（臀部ベルト又は腰背部ベルトにおける伸縮性素材の使用）
臀部ベルト又は腰背部ベルトにおける少なくとも一部、例えば装着時に背側に位置する中央部分等の適宜な部分においては、上記した伸縮性のない強靭なベルトに替えて、伸縮性のベルト状素材を用いることが好ましい。伸縮性のベルト状素材としては、仙腸関節ベルトに関して前記した（ａ）〜（ｃ）の構成のものを好ましく用いることができる。又、その内、例えば（ａ）、（ｂ）のようにゴム材が露出している実施形態の場合は、装着時における内側の下着や外側のシャツ、ズボン等に対する臀部ベルト又は腰背部ベルトの摩擦抵抗が高いので、仙腸関節保護ベルトを装着した状態において、位置ズレが起こり難い。
【００７１】
上記のように臀部ベルト又は腰背部ベルトの少なくとも一部に伸縮性の素材を用いる場合、その伸縮性の素材からなるベルト部分を二重ベルトの構成として、臀部ベルト又は腰背部ベルトに、弾力性に富む強力な締め付け力を与えることも好ましい。
【００７２】
（臀部ベルト又は腰背部ベルトにおけるリングの使用）
上記の第３実施形態における（２）及び（３）において、臀部ベルト又は腰背部ベルトの両端部に設けた面ファスナー用のファスナー部材よりも少し中央部寄りの部位に仙腸関節ベルトを挿通するためのリングを設け、リングに仙腸関節ベルトを挿通した後に両者のベルトを面ファスナーを利用して着脱可能に連結することが、特に好ましい。
【００７３】
つまり、仙腸関節ベルトの連結部と、臀部ベルト又は腰背部ベルトの両端部とに、それぞれのベルトに沿った帯状の面ファスナーを設けた場合、両者の面ファスナーを並行に接合させると最も強力な連結が可能になる。但し、この場合、通常は、臀部ベルトに臀部の下側を通るような連結角度を与えることが難しく、腰背部ベルトに腰背部を通るような連結角度を与えることが難しい。しかし、上記のリングを設ける構成とすることにより、臀部ベルト又は腰背部ベルトに連結角度の自由度を与えることができるので、臀部ベルトに臀部の下側を通るような連結角度を与え、又は腰背部ベルトに腰背部を通るような連結角度を与えることが容易である。
【００７４】
又、上記と異なる観点として、装着時において、仙腸関節ベルトと、臀部ベルト又は腰背部ベルトとの両者のベルトが面ファスナーにより連結される場合、臀部ベルト又は腰背部ベルトの本体部分（臀部の下側を通過する部分、又は腰背部を通過する部分）は仙腸関節ベルトの内周側に設けることが好ましい反面、両者のベルトの連結部分では臀部ベルト又は腰背部ベルトが仙腸関節ベルトの外周側から重なるように連結される方が、仙腸関節ベルトに対する臀部ベルト又は腰背部ベルトの着脱が容易である。上記のリングを用いれば、このような構成が可能になる。
【００７５】
〔仙腸関節ベルトにおける補助ベルトの付設〕
（補助ベルトの実施形態）
仙腸関節ベルトには、骨盤に対するその締め付け力を更に強化するための補助ベルトを更に付設することも好ましい。この補助ベルトも、臀部ベルト又は腰背部ベルトと同様、その両端部を、それぞれ仙腸関節ベルトにおける両端部よりも中央部寄りの部分に設定した１対の補助ベルト用連結エリアにおいて固定的に又は着脱可能に連結する。但し、補助ベルトは、仙腸関節ベルトと重なるようにして左右の腸骨を取り巻く状態で装着者の腰周りに巻き付けるものであり、この点が臀部ベルト又は腰背部ベルトとは異なる。
【００７６】
補助ベルトも、限定はされないが、天然繊維や合成樹脂繊維を用いて伸縮性のない帯状に織製した柔軟で強靭なベルトからなり、ベルト幅も限定されないが、例えば１〜４ｃｍ程度である。
【００７７】
（補助ベルトにおける伸縮性素材の使用）
補助ベルトにおける少なくとも一部、例えば装着時に背側に位置する中央部分等の適宜な部分においては、上記した伸縮性のない強靭なベルトに替えて、伸縮性のベルト状素材を用いることが好ましい。伸縮性のベルト状素材としては、仙腸関節ベルトに関して前記した（ａ）〜（ｃ）の構成のものを好ましく用いることができる。又、その内、例えば（ａ）、（ｂ）のようにゴム材が露出している実施形態の場合は、装着時における内側の下着や外側のシャツ、ズボン等に対する補助ベルトの摩擦抵抗が高いので、仙腸関節保護ベルトを装着した状態において、位置ズレが起こり難い。
【００７８】
上記のように補助ベルトの少なくとも一部に伸縮性の素材を用いる場合、その伸縮性の素材からなるベルト部分を二重ベルトの構成として、補助ベルトに、弾力性に富む強力な締め付け力を与えることも、好ましい。
【００７９】
（補助ベルトにおけるリングの使用）
補助ベルトの両端部に、仙腸関節ベルトの補助ベルト用連結エリアに連結するためのファスナー部材を設ける場合、そのファスナー部材よりも少し中央部寄りの部位に仙腸関節ベルトを挿通するためのリングを設け、リングに仙腸関節ベルトを挿通した後に両者のベルトを面ファスナーを利用して着脱可能に連結することが、特に好ましい。
【００８０】
補助ベルトにおけるリングの使用においては、臀部ベルト又は腰背部ベルトの場合について述べたような「仙腸関節ベルトに対する補助ベルトの連結角度の自由度を与える」と言う技術的な意味はないが、補助ベルトを仙腸関節ベルトの内周側に設けると共に、補助ベルトの両端部に設けたファスナー部材を仙腸関節ベルトの補助ベルト用連結エリアに対して外周側から重なるように連結させることができるので、仙腸関節ベルトに対する補助ベルトの着脱が容易である。
【実施例】
【００８１】
次に本発明の実施例を説明する。本発明の技術的範囲は以下の実施例及び比較例によって限定されない。【００８２】
〔仙腸関節ベルト〕
仙腸関節ベルトは、左右の腸骨を取り巻く状態で装着者の腰周りに巻き付けるベルトである。仙腸関節ベルト１の正面図（装着状態における外周面）を図１（ａ）に示し、背面図（装着状態における内周面）を図１（ｂ）に示す。仙腸関節ベルト１は、天然繊維又は合成樹脂繊維を用いて伸縮性のない帯状に織製した柔軟で強靭なベルトであり、人体の腰周りに巻き付けることができる長さと、約２ｃｍ程度のベルト幅を備えている。仙腸関節ベルト１の両端部には、公知の留め具の各一方を構成するフック２とフック留め３を取り付けている。【００８３】
フック２とフック留め３にはそれぞれ、図３（ａ）に示すように、中央に留め棒ａを持つバックルリングｂを備えたバックル部材が付設されており、仙腸関節ベルト１の端部のベルト部分は、このバックル部材によってフック２やフック留め３に止着されている。人体の腰周りに巻き付けた仙腸関節ベルト１の両端部は、フック２とフック留め３により、装着者の腹側において互いに着脱可能に係止される。【００８４】
仙腸関節ベルト１の両端部よりもやや中央部寄りの部分における外周面には、後述する臀部ベルト又は腰背部ベルトの両端部を着脱可能に連結するために、それぞれ面状ファスナー部材４、４を一定の長さにわたり設けた１対の連結エリアを設定している。これらの面状ファスナー部材４、４は、面ファスナーを構成する１対の面状ファスナー部材のいずれか一方（例えば、いわゆる「マジックテープ（登録商標）」における、多数の微細なループ構造を形成した面状のファスナー部材、又は、多数の微細なフック構造を形成した面状のファスナー部材）である。【００８５】
なお、図１には示さないが、仙腸関節ベルト１における両端部と、１対の面状ファスナー部材４、４を設けた部分以外の部分（特に、装着時に背側に位置する中央部分）には、伸縮性素材を使用することもできる。伸縮性素材としては、「仙腸関節ベルトにおける伸縮性素材の使用」の実施形態において、（ａ）〜（ｃ）として前記した形態のものが好ましい。又、伸縮性素材を用いる場合、伸縮性素材を使用したベルト部分を二重ベルトの構成とすることもできる。このような伸縮性素材を使用したベルト部分又はその二重ベルトの構成部分と、伸縮性のない帯状に織製した柔軟で強靭なベルト部分とは、例えば縫合により止着することができる。【００８６】
〔臀部ベルト又は腰背部ベルト〕
臀部ベルトは、装着者の臀部を持ち上げる状態で臀部の下側を通って装着者の腰周りに巻き付けるベルトである。腰背部ベルトは、装着者の骨盤直上の脊椎前方湾曲部の背中側である腰背部を通って装着者の腰周りに巻き付けるベルトである。臀部ベルト／腰背部ベルト５の背面図（装着状態における内周面）を図２に示す。【００８７】
臀部ベルト／腰背部ベルト５も、天然繊維又は合成樹脂繊維を用いて伸縮性のない帯状に織製した柔軟で強靭なベルトであり、仙腸関節ベルト１とほぼ同様のベルト幅を備えているが、仙腸関節ベルト１よりも短く形成する。そして臀部ベルト／腰背部ベルト５の両端部の内周面には、仙腸関節ベルト１の１対の面状ファスナー部材４、４に対して着脱可能に接合できる１対の面状ファスナー部材６、６を設けている。【００８８】
次に、臀部ベルト／腰背部ベルト５には、その両端部に設けた面状ファスナー部材６、６よりも少し中央部寄りの部位に、仙腸関節ベルト１を挿通するための１対のリング７、７を設けている。臀部ベルト／腰背部ベルト５のベルト部分は、リング７に通して折り返した後、折り返し部分を縫着してリング７に止着されている。【００８９】
リング７を介する仙腸関節ベルト１と臀部ベルト／腰背部ベルト５との連結部の構造を、図３（ｂ）の側面図に基づいて説明する。図３（ｂ）において、図の上方が仙腸関節ベルト１と臀部ベルト／腰背部ベルト５の外周側であり、図の下方が内周側である。臀部ベルト／腰背部ベルト５の本体部分は仙腸関節ベルト１の内周側に設けられているが、そのリング７に仙腸関節ベルト１を挿通すると、臀部ベルト／腰背部ベルト５の端部は仙腸関節ベルト１の外周側に位置することになる。このような位置関係において、臀部ベルト／腰背部ベルト５の端部の内周側に設けた面状ファスナー部材６を、仙腸関節ベルト１の外周側の連結エリアに設けた面状ファスナー部材４に対して面状に接合させる。【００９０】
従って、仙腸関節ベルト１の内周側に設けた臀部ベルト／腰背部ベルト５の端部は、仙腸関節ベルト１の外周側で面ファスナーにより仙腸関節ベルト１に連結されているので、臀部ベルト／腰背部ベルト５を仙腸関節ベルト１に対して容易に着脱できる。更に、リング７の存在により、仙腸関節ベルト１に対する臀部ベルト／腰背部ベルト５の連結角度を容易に変更できる。【００９１】
図２には示さないが、臀部ベルト／腰背部ベルト５における面状ファスナー部材６やリング７を設けた部分以外の部分（特に臀部ベルト／腰背部ベルト５の中央部分）には伸縮性素材を使用することもできるし、伸縮性素材を使用したベルト部分を二重ベルトの構成とすることもできる。これらの場合の構成は上記した仙腸関節ベルト１の場合と同様である。【００９２】
〔補助ベルト〕
補助ベルトは、骨盤に対する仙腸関節ベルトの締め付け力を更に強化するために、仙腸関節ベルトに付設するものである。補助ベルト８は、詳細には図示せず、後述する図８、９において簡単に図示する。【００９３】
補助ベルト８も、天然繊維又は合成樹脂繊維を用いて伸縮性のない帯状に織製した柔軟で強靭なベルトであり、仙腸関節ベルト１とほぼ同様のベルト幅を備えているが、仙腸関節ベルト１よりも短く形成する。そして補助ベルト８の両端部の内周面には、仙腸関節ベルト１の外周面に設定した１対の補助ベルト用連結エリアに対して着脱可能に接合できる１対の面状ファスナー部材を設けている。【００９４】
補助ベルト８においても、その両端部に設けた上記の面状ファスナー部材よりも少し中央部寄りの部位に１対のリングを設けて、このリングに仙腸関節ベルト１を挿通させ、仙腸関節ベルト１に対して、図３（ｂ）に示した臀部ベルト／腰背部ベルト５の場合と同様の連結部の構造としている。従って、仙腸関節ベルト１の内周側に設けた補助ベルト８の端部は、仙腸関節ベルト１の外周側で面ファスナーにより仙腸関節ベルト１に連結されているので、臀部ベルト／腰背部ベルト５の場合と同様、仙腸関節ベルト１に対して容易に着脱できる。更に、補助ベルト８における面状ファスナー部材やリングを設けた部分以外の部分（特に補助ベルト８の中央部分）には伸縮性素材を使用することもできるし、伸縮性素材を使用したベルト部分を二重ベルトの構成とすることもできる。これらの場合の構成は上記した仙腸関節ベルト１の場合と同様である。【００９５】
〔第１実施例に係る仙腸関節保護ベルト〕
第１実施例に係る仙腸関節保護ベルト９の全体図を図４に概念的に示す。図４においては、図示の煩雑を避けるため、ベルトは単一の実線で示し、特定の構造部分は「○」記号で示す。【００９６】
図４において、仙腸関節保護ベルト９は、それぞれ前記した仙腸関節ベルト１と、臀部ベルト／腰背部ベルト５からなる。仙腸関節ベルト１の両端部には図３（ａ）に示した着脱式の留め具１０（一方がフック、他方がフック留め）を設けている。仙腸関節ベルト１における適宜な部分(例えば中央部分)は伸縮性の素材をもって構成しても良い。臀部ベルト／腰背部ベルト５は仙腸関節ベルト１よりも短く形成されているが、その適宜な部分(例えば中央部分)を伸縮性の素材をもって構成しても良い。【００９７】
臀部ベルト／腰背部ベルト５の両端部は、図３（ｂ）に示したリングを介する連結部構造１１と面ファスナー構造１２によって、仙腸関節ベルト１の１対の連結エリアに対して、それぞれ着脱可能に連結されている。【００９８】
このように構成された第１実施例に係る仙腸関節保護ベルト９の内、仙腸関節ベルト１と臀部ベルト５ｂからなるものは、図５（ａ）及び図５（ｂ）に示すように装着される。即ち、仙腸関節ベルト１を左右の腸骨を取り巻く状態で装着者の腰周りに巻き付け、仙腸関節ベルト１の両端のフックとフック留めを装着者の腹側で止着する。そして、臀部ベルト５ｂを装着者の臀部を持ち上げる状態で、臀部の下側を通るようにして、巻き付ける。この状態において、仙腸関節ベルト１と臀部ベルト５ｂが、装着者の骨盤を臀部側からホールドする臀部側骨盤ホールドループ１３ａを構成する。この臀部側骨盤ホールドループ１３ａによって骨盤全体を臀部側から包み込むように保持する結果、骨盤に対する優れたホールド性が実現される。【００９９】
又、第１実施例に係る仙腸関節保護ベルト９の内、仙腸関節ベルト１と腰背部ベルト５ｃからなるものは、図６（ａ）及び図６（ｂ）に示すように装着される。即ち、仙腸関節ベルト１を左右の腸骨を取り巻く状態で装着者の腰周りに巻き付け、仙腸関節ベルト１の両端のフックとフック留めを装着者の腹側で止着する。そして、腰背部ベルト５ｃを装着者の骨盤直上の脊椎前方湾曲部の背中側である腰背部を通る状態で、装着者の腰周りに巻き付ける。この状態において、仙腸関節ベルト１と腰背部ベルト５ｃが、装着者の骨盤を腰背部側からホールドする腰背部側骨盤ホールドループ１３ｂを構成する。この腰背部側骨盤ホールドループ１３ｂによって骨盤全体を腰背部側から包み込むように保持する結果、骨盤に対する優れたホールド性が実現される。【０１００】
〔第２実施例に係る仙腸関節保護ベルト〕
第２実施例に係る仙腸関節保護ベルト１４の全体図を図８に概念的に示す。図８においては、図示の煩雑を避けるため、ベルトは単一の実線で示し、特定の構造部分は「○」記号で示す。【０１０１】
図８において、仙腸関節保護ベルト１４は、それぞれ前記した仙腸関節ベルト１と、臀部ベルト／腰背部ベルト５と、補助ベルト８からなる。仙腸関節ベルト１と臀部ベルト／腰背部ベルト５の構成、及びこれらの両者のベルトの連結の構造は、第１実施例の場合と同様である。補助ベルト８は臀部ベルト／腰背部ベルト５よりも更に短く形成されており、補助ベルト８の両端部が仙腸関節ベルト１の中央部寄りの部分に連結されている。仙腸関節ベルト１に対する補助ベルト８の連結の構造も、図３（ｂ）に示したものと同様の、リングを介する連結部構造１１と面ファスナー構造１２による。【０１０２】
なお、補助ベルト８の適宜な部分(例えば中央部分)を伸縮性の素材をもって構成しても良い。そして、補助ベルト８の中央部分は、仙腸関節ベルト１の中央部分に対して、縫着による固定的連結部１５とされている。従って、仙腸関節ベルト１の中央部分と補助ベルト８の中央部分が共に伸縮性の素材をもって構成されている場合、これらの伸縮性素材の部分が固定的連結部１５において縫着されることになる。【０１０３】
〔第３実施例に係る仙腸関節保護ベルト〕
第３実施例に係る仙腸関節保護ベルト１６の全体図を図９に概念的に示す。図９においては、図示の煩雑を避けるため、ベルトは単一の実線で示し、特定の構造部分は「○」記号で示す。【０１０４】
図９において、仙腸関節保護ベルト１６は仙腸関節ベルト１ａ、臀部ベルト／腰背部ベルト５ａ、補助ベルト８ａからなる。これらの仙腸関節ベルト１ａ、臀部ベルト／腰背部ベルト５ａ、補助ベルト８ａは、それらの中央部において、いずれも伸縮性の素材を用いた二重ベルト構造１７となっている。そして、これらの二重ベルト構造１７の両端部はそれぞれ、仙腸関節ベルト１ａ、臀部ベルト／腰背部ベルト５ａ、補助ベルト８ａにおける伸縮性のない柔軟で強靭なベルト部分に対して、縫着による固定的連結部１５によって止着されている。【０１０５】
第３実施例に係る仙腸関節保護ベルト１６における上記以外の構成は、第２実施例に係る仙腸関節保護ベルト１４の場合と同様である。【０１０６】
〔仙腸関節保護ベルトのその他の実施例〕
仙腸関節保護ベルトは、前記第１実施形態や第２実施形態のように、仙腸関節ベルトと臀部ベルトをそれぞれリング状に構成して使用することもできる。
【産業上の利用可能性】
【０１０７】
本発明により、仙腸関節に対する締め付け効果と共に骨盤に対するホールド性が優れた仙腸関節保護ベルトが提供される。
【図１】
0005858392.tif 000002
【図２】
0005858392.tif 000003
【図３】
0005858392.tif 000004
【図４】
0005858392.tif 000005
【図５】
0005858392.tif 000006
【図６】
0005858392.tif 000007
【図７】
0005858392.tif 000008
【図８】
0005858392.tif 000009
【図９】
0005858392.tif 000010